【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
磁気共鳴（ＭＲ）イメージングシステムの無線周波数（ＲＦ）アンテナデバイスによって放射されるＲＦフィールドのフィールド均質化のためのパッシブＲＦシム共振器であって、
前記パッシブＲＦシム共振器は、
第１の共振能力及び第２の共振能力を有し、
前記ＭＲイメージングシステムの前記ＲＦアンテナデバイスによって放射される前記ＲＦフィールドの時計回り円偏波磁場成分及び反時計回り円偏波磁場成分をそれぞれ独立して均質化するように、送信（ＴＸ）モード及び受信（ＲＸ）モードに従って、前記パッシブＲＦシム共振器を調整するように、前記第１の共振能力及び前記第２の共振能力を切り替えるスイッチングデバイスを備える、パッシブＲＦシム共振器。
【請求項２】
前記パッシブＲＦシム共振器は、単一の共振ループ、又は複数の電磁結合された共振ループを備え、
前記スイッチングデバイスは、前記単一の共振ループ又は複数の電磁結合された共振ループ内に配置された少なくとも１つのスイッチングユニットを備え、
前記スイッチングデバイスは、前記少なくとも１つのスイッチングユニットが前記単一の共振ループ又は複数の電磁結合された共振ループを切り替えることで、前記単一の共振ループ又は複数の電磁結合された共振ループを使用して前記第１の共振能力及び前記第２の共振能力を提供するように、動作させられる、請求項１に記載のパッシブＲＦシム共振器。
【請求項３】
前記パッシブＲＦシム共振器は、複数の電磁結合された共振ループを備え、
前記複数の電磁結合された共振ループは、人工誘電体を形成する２Ｄ又は３Ｄグリッド構造内に配置され、
前記スイッチングデバイスは、前記複数の電磁結合された共振ループ内に配置された複数のスイッチングユニットを備え、
前記複数のスイッチングユニットは、前記単一の共振ループ又は複数の電磁結合された共振ループを切り替えることで、前記単一の共振ループ又は複数の電磁結合された共振ループを使用して前記第１の共振能力及び前記第２の共振能力を提供する、請求項２に記載のパッシブＲＦシム共振器。
【請求項４】
前記複数の電磁結合された共振ループは、前記グリッド構造の複数の接続点を相互接続する複数のブランチ内に配置される、請求項３に記載のパッシブＲＦシム共振器。
【請求項５】
前記パッシブＲＦシム共振器は、単一の伝送ライン、又は複数の電磁結合された伝送ラインを備え、
前記スイッチングデバイスは、前記単一の伝送ライン又は複数の電磁結合された伝送ライン内に配置された少なくとも１つのスイッチングユニットを備え、
前記スイッチングデバイスは、前記少なくとも１つのスイッチングユニットが前記単一の伝送ライン又は複数の電磁結合された伝送ラインを切り替えることで、前記単一の伝送ライン又は複数の電磁結合された伝送ラインを使用して前記第１の共振能力及び前記第２の共振能力を提供するように、動作させられる、請求項１に記載のパッシブＲＦシム共振器。
【請求項６】
前記パッシブＲＦシム共振器は、単一の誘電体共振器、又は複数の結合された誘電体共振器を備え、
前記スイッチングデバイスは、前記単一の誘電体共振器又は複数の結合された誘電体共振器内に配置された少なくとも１つのスイッチングユニットを備え、
前記スイッチングデバイスは、前記少なくとも１つのスイッチングユニットが前記単一の誘電体共振器又は複数の結合された誘電体共振器を切り替えることで、前記単一の誘電体共振器又は複数の結合された誘電体共振器を使用して前記第１の共振能力及び前記第２の共振能力を提供するように、動作させられる、請求項１に記載のパッシブＲＦシム共振器。
【請求項７】
前記スイッチングデバイスは、少なくとも１つの切替可能な共振回路を備える、請求項２に記載のパッシブＲＦシム共振器。
【請求項８】
前記スイッチングデバイスは、能動的に制御可能なスイッチングデバイスであり、
前記パッシブＲＦシム共振器は制御ユニットを備え、
前記制御ユニットは、前記ＭＲイメージングシステムの前記ＲＦアンテナデバイスによって放射される前記ＲＦフィールドのＴＸモード及びＲＸモードに従い、前記スイッチングデバイスを前記第１の共振能力と前記第２の共振能力との間で能動的に切り替える、請求項１に記載のパッシブＲＦシム共振器。
【請求項９】
前記スイッチングデバイスはパッシブスイッチングデバイスであり、
前記スイッチングデバイスは、前記ＭＲイメージングシステムの前記ＲＦアンテナデバイスによって放射される前記ＲＦフィールドのＴＸモード及びＲＸモードに従い、前記第１の共振能力と前記第２の共振能力とを受動的に切り替える、請求項１に記載のパッシブＲＦシム共振器。
【請求項１０】
前記第１の共振能力は、前記ＲＦアンテナデバイスの送信フィールドのためのフィールド最適化を達成し、前記第２の共振能力は、前記ＲＦアンテナデバイスの受信フィールドのためのフィールド最適化を達成するか、又はその逆である、請求項１に記載のパッシブＲＦシム共振器。
【請求項１１】
磁気共鳴イメージング（ＭＲＩ）システムにおいて使用される患者ベッド又は患者マットレスであって、
前記患者ベッド又は前記患者マットレスは、ＭＲイメージングシステムのＲＦアンテナデバイスによって放射されるＲＦフィールドのフィールド均質化のための請求項１に記載のパッシブＲＦシム共振器を備える、患者ベッド又は患者マットレス。
【請求項１２】
ＭＲイメージングシステムで使用されるＲＦフィールドを生成及び／又は受信するためのＲＦアンテナデバイスであって、
前記ＲＦアンテナデバイスは、コイルハウジングと、前記ＲＦアンテナデバイスによって放射されるＲＦフィールドのフィールド均質化のための請求項１に記載のパッシブＲＦシム共振器とを備え、
前記パッシブＲＦシム共振器は前記コイルハウジング内に配置される、ＲＦアンテナデバイス。
【請求項１３】
静磁場を生成する主磁石と、
前記静磁場に重畳される勾配磁場を生成する勾配磁場コイルシステムと、
ＲＦフィールドを生成する少なくとも１つのＲＦアンテナデバイスとを備えるＭＲイメージングシステムであって、
前記ＭＲイメージングシステムはさらに、請求項１１に記載の患者ベッド又は患者マットレスを備える、ＭＲイメージングシステム。
【請求項１４】
静磁場を生成する主磁石と、
前記静磁場に重畳される勾配磁場を生成する勾配磁場コイルシステムと、
ＲＦフィールドを生成する少なくとも１つのＲＦアンテナデバイスとを備えるＭＲイメージングシステムであって、
前記少なくとも１つのＲＦアンテナデバイスは、請求項１２に記載のＲＦアンテナデバイスである、ＭＲイメージングシステム。
【請求項１５】
磁気共鳴（ＭＲ）イメージングシステムの無線周波数（ＲＦ）アンテナデバイスによって放射されるＲＦフィールドのフィールド均質化を改善する方法であって、前記方法は、
前記ＲＦアンテナデバイスの送信（ＴＸ）モード及び受信（ＲＸ）モードに従い、第１の共振能力及び第２の共振能力を有するパッシブＲＦシム共振器を提供するステップと、
前記ＭＲイメージングシステムの前記ＲＦアンテナデバイスの前記ＴＸモード及び前記ＲＸモードを決定するステップと、
前記ＴＸモード及び前記ＲＸモードに従って、前記ＭＲイメージングシステムの前記ＲＦアンテナデバイスによって放射される前記ＲＦフィールドの時計回り円偏波磁場成分及び反時計回り円偏波磁場成分をそれぞれ独立して均質化するように前記パッシブＲＦシム共振器を調整するために、前記パッシブＲＦシム共振器を前記第１の共振能力と前記第２の共振能力との間で切り替えるステップとを含む、方法。